(57)【特許請求の範囲】
【請求項１】
直方体形状を有する被梱包物を梱包する梱包材であって、被梱包物の四周側面を覆う側面被覆片と、被梱包物の表裏両面において側面被覆片の一対の長尺側折曲縁からそれぞれ内方に折り曲げられる長尺側折曲片と、被梱包物の表裏両面において側面被覆片の一対の短尺側折曲縁からそれぞれ内方に折り曲げられる短尺側折曲片とからなり、被梱包物の表裏の少なくとも一方の面において四隅の角部では長尺側折曲片が短尺側折曲片の上に折り重ねられるものであって、短尺側折曲片の上に折り重ねられる長尺側折曲片によってその一部が被覆される位置において通気口が短尺側折曲片に形成され、該通気口は、短尺側折曲片の長さ方向に略平行である長軸の短尺側折曲縁の側に描かれる第一の円弧縁と、該長軸の他方側に描かれる第二の円弧縁とからなり、且つ、第一の円弧縁が第二の円弧縁より大きい径を持つ変形楕円形状を有することを特徴とする梱包材。
【発明の詳細な説明】
【技術分野】
【０００１】
本発明は、直方体形状の被梱包物を梱包する梱包材に関する。
【背景技術】
【０００２】
運搬や保管に便利なように、床材などの矩形板状製品を複数枚積層した状態で梱包材によって梱包し、結束バンドなどで結束して梱包体とすることが従来より慣用されている。たとえば特許文献１には、板状製品の少なくとも上面の中央部分を露出させた状態で梱包材で梱包し、結束バンドで結束した梱包体であって、該梱包体の上下面において梱包材の折曲部の端部より内側の位置に矩形状の通気口を形成したものが開示されている。特許文献１の記載によれば、荷降ろし作業の際に梱包体を積み上げたときに、梱包体内部の空気を通気口から逃がすことができるので、梱包材の破れや結束バンドの破損などを防止することができるとされている。
【先行技術文献】
【特許文献】
【０００３】
【特許文献１】特開平９−５８７４６号公報
【発明の概要】
【発明が解決しようとする課題】
【０００４】
梱包体を積載しようとする際に既に荷降ろしされている一の梱包体の上に別の梱包体を放り投げるようにして積み上げると、梱包体の内部の空気（特に被梱包物の側面とこれを包囲する梱包体との間に存在する空気）や、梱包体の表裏の露出部分から侵入した空気が、通気口から勢い良く放出されることになる。このため、通気口の周縁付近の梱包材が、梱包体内部から抜け出ようとする空気の圧力に押されて膨れを起こし、梱包材がずれて梱包が緩んだり外れたりすることがあった。また、該抜け出ようとする空気の圧力に押されて通気口の周縁が捲れ上がることがあり、この場合、その上に梱包体を積載する際にスライドさせながら積載すると、下方の梱包体において捲れ上がった通気口周縁に引っ掛かり、梱包材が破れてしまうことがあった。
【０００５】
したがって、本発明が解決しようとする課題は、梱包材に通気口を形成して梱包体内部からの空気を逃がすことによって梱包体積載作業の際に梱包材の破れや結束バンドの破損などを防止する作用効果を与えつつ、上記従来技術の不利欠点を解消させて、通気口から勢い良く空気が放出されても通気口の周縁で梱包材に膨れや捲れが生ずることを抑制して、スライド積載の際の梱包材の引っ掛かりを防止し、梱包材の破れをより一層効果的に防止できるようにした梱包材の新規構成を提供することにある。
【課題を解決するための手段】
【０００６】
この課題を解決するため、請求項１に係る本発明は、直方体形状を有する被梱包物を梱包する梱包材であって、被梱包物の四周側面を覆う側面被覆片と、被梱包物の表裏両面において側面被覆片の一対の長尺側折曲縁からそれぞれ内方に折り曲げられる長尺側折曲片と、被梱包物の表裏両面において側面被覆片の一対の短尺側折曲縁からそれぞれ内方に折り曲げられる短尺側折曲片とからなり、被梱包物の表裏の少なくとも一方の面において四隅の角部では長尺側折曲片が短尺側折曲片の上に折り重ねられるものであって、短尺側折曲片の上に折り重ねられる長尺側折曲片によってその一部が被覆される位置において通気口が短尺側折曲片に形成され、該通気口は、短尺側折曲片の長さ方向に略平行である長軸の短尺側折曲縁の側に描かれる第一の円弧縁と、該長軸の他方側に描かれる第二の円弧縁とからなり、且つ、第一の円弧縁が第二の円弧縁より大きい径を持つ変形楕円形状を有することを特徴とする。
【発明の効果】
【０００８】
請求項１に係る本発明によれば、角部において折り重ねられる長尺側折曲片と短尺側折曲片の２つの折曲片のうち下方に位置する短尺側折曲片に通気口が形成され、しかも該通気口の一部が長尺側折曲片に被覆ないし閉塞される位置に形成されるので、梱包体の積載の際に通気口から勢い良く空気が抜け出て通気口周縁付近の梱包材が膨れや捲れを起こそうとしても、通気口の一部に覆い被さるように設けられる長尺側折曲片がこれを抑制するように働く。また、短尺側折曲片に形成される通気口は長尺側折曲片よりもその厚さ分だけ低い位置にあるので、この梱包体の上に別の梱包体をスライドさせながら積み上げたときに、該別の梱包体は下の梱包体の最上面レベルすなわち長尺側折曲片の上を引きずりながらスライドすることになるので、長尺側折曲片に覆われていない部分で通気口の周縁に僅かな膨れや捲れが生じたとしても、その膨れや捲れの部分に引っ掛かることが抑制される。これらを通じて、梱包材の破損を効果的に防止することができる。
【０００９】
また、梱包体を積層する際に放り投げるようにして積み上げる場合、梱包体内部の空気や梱包体の表裏の露出部から侵入する空気は逃げ場を求めて梱包体の周縁部や角部に向かって移動していくが、通気口の形状を請求項１記載のようにすることにより、通気口が短尺側折曲縁の側に広く開口するので、周縁部や角部に向けて移動しようとする空気を通気口からスムーズに放出させることができ、通気口付近の梱包材の反り返しや膨れ、さらには角部における梱包材の破損などを防止する効果がより一層顕著なものとなる。
【図面の簡単な説明】
【００１０】
【図１】本発明の一実施形態による梱包材およびこれを用いて得られる梱包体を示す斜視図である。
【図２】このの梱包体の図１Ａ−Ａ断面図である。
【図３】この梱包体の通気口形成部分を示す部分平面図である。
【図４】通気口の形状についての比較データを示す図表である。
【図５】通気口の形状についての別の比較データを示す図表である。
【発明を実施するための形態】
【００１１】
まず、本発明の構成について概括的に説明する。本発明は、複数枚の矩形状板状製品を積層したもの、たとえば床材積層体などの直方体形状の被梱包物２を梱包する梱包材３であり、これを一定の間隔で結束バンド４で結束して得た梱包体１が図１および図２に示されている。梱包体１は、梱包する矩形板状製品２の寸法によって大きさが異なるが、一般に、長尺長さ：１５００〜２５００ｍｍ、短尺長さ：３００〜６５０ｍｍ、高さ（厚さ）：３０〜１８０ｍｍの寸法を有する。
【００１２】
梱包材３は、被梱包物２の四周側面を覆う側面被覆片３１と、被梱包物２の表裏両面において側面被覆片３１の一対の長尺側折曲縁３１ａからそれぞれ内方に折り曲げられる長尺側折曲片３２と、被梱包物２の表裏両面において側面被覆片３１の一対の短尺側折曲縁３１ｂからそれぞれ内方に折り曲げられる短尺側折曲片３３とを有してなる。梱包材３の厚さは一般に２〜５ｍｍである。また、長尺側折曲片３２が側面被覆片３１の長尺側折曲縁３１ａから折り曲げられる折曲長さ、および、短尺側折曲片３３が側面被覆片３１の短尺側折曲縁３１ｂから折り曲げられる折曲長さは、一般にそれぞれ２０〜１００ｍｍであり、被梱包物２の表裏両面には、長尺側折曲片３２および短尺側折曲片３３によって被覆されていない開放部分３４が残されており、この開放部分３４では被梱包物２の表裏面が露出している。
【００１３】
被梱包物２の表裏両面において、四隅の角部では、長尺側折曲片３２が短尺側折曲片３３の上に折り重ねられるものであって、該角部において下方に位置する短尺側折曲片３３に通気口３５が形成される。通気口３５は、短尺側折曲片３３の長さ方向（梱包体１の短尺長さ方向）に長い横長形状を有し、その横方向最長長さは２０〜４０ｍｍであることが好ましい。これが２０ｍｍより小さいと積載の際の空気の抜けが悪くなって、梱包材３の角部などに破損や亀裂が生じやすくなり、４０ｍｍより大きくなると通気口３５の占める面積割合が大きくなりすぎて、梱包材３の強度を低下させてしまう。また、通気口３５の縦方向最長長さは１０〜２０ｍｍであることが好ましい。これが１０ｍｍより小さいと積載の際の空気の抜けが悪くなって、梱包材３の角部などに破損や亀裂が生じやすくなり、２０ｍｍより大きくなると通気口３５の占める面積割合が大きくなりすぎて、梱包材３の強度を低下させてしまう。
【００１４】
通気口３５の形状は、短尺側折曲縁３１ｂ側の周縁が大きな径ｒ１の円弧縁３５ａで形成され、反対側の周縁が小さな径ｒ２（＜ｒ１）の円弧縁３５ｂで形成される変形楕円形状とすることが最も好適であり、ｒ１＝２０〜４０ｍｍ、ｒ２＝１０〜２０ｍｍが好ましい。また、通気口３５が長尺側折曲片３２によって覆われる面積割合は２０〜４０％であることが好ましい。これらについては後述の実施例において図３および図４を参照して詳しく説明する。
【００１５】
また、通気口３５と短尺側折曲縁３１ｂとの間の距離ｃ（図３）は５〜１０ｍｍとすることが好ましい。この距離が５ｍｍより小さいとこの部分での短尺側折曲片３３の折り曲げが困難になり、不十分な折り曲げによって浮き上がった短尺側折曲片３３が長尺側折曲片３２にぶつかってその部分が膨れ上がり、梱包体１の積載バランスを崩す原因となり、１０ｍｍより大きくなると通気口３５が短尺側折曲縁３１ｂから離れて位置することになるので、積載時の空気の抜けが悪くなり、梱包材３の角部などに破損や亀裂が生じやすくなる。
【００１６】
以下に実施例を挙げて本発明を詳述するが、本発明はこの実施例に限定されるものではなく、特許請求の範囲の記載によって定義される発明の範囲内において様々な変形態様を取り得ることは言うまでもない。
【実施例１】
【００１７】
本発明の一実施形態による梱包材３およびこれを使用して得た梱包体１について、図１ないし図３を参照して詳述する。この実施形態による梱包体１は、長尺長さ２１８６ｍｍ、短尺長さ３１６ｍｍ、厚さ７８ｍｍの床材を６枚積層した床材積層体を被梱包物２として梱包材３で梱包し、一定の間隔で結束バンド４で結束することによって構成される。
【００１８】
梱包材３は、６枚の床材積層体である被梱包物２の四周側面（木口面）を包囲する側面被覆片３１と、被梱包物２の表裏両面において側面被覆片３１の一対の長尺側折曲縁３１ａからそれぞれ内方に折り曲げられる長尺側折曲片３２と、被梱包物２の表裏両面において側面被覆片３１の一対の短尺側折曲縁３１ｂからそれぞれ内方に折り曲げられる短尺側折曲片３３とを有する。そして、被梱包物２の側面を側面被覆片３１で包囲した状態にして、その表裏両面において、長尺側折曲縁３１ａに沿って長尺側折曲片３２を内方に折り曲げると共に短尺側折曲縁３１ｂに沿って短尺側折曲片３３を内方に折り曲げてそれぞれ床材２の表裏両面に沿わせて梱包した後、結束バンド４で結束して、梱包体1を得る。被梱包物２の表裏両面四隅の角部では、長尺側折曲片３２を短尺側折曲片３３の上に折り重ねた状態（図１，図２）とする。
【００１９】
この実施形態では、梱包材３の厚さが３ｍｍであり、長尺側折曲片３２と短尺側折曲片３３はいずれも４９ｍｍの折曲長さを有している。したがって、被梱包物２の表裏両面には、長尺側折曲片３２および短尺側折曲片３３によって被覆されていない開放部分３４が残されており、この開放部分３４では床材の表裏面が露出している。
【００２０】
短尺側折曲片３３にはその長さ方向（梱包体１の短尺長さ方向）の両端近くにそれぞれ一つの通気口３５が形成されている。通気口３５は、上述のようにして被梱包物２の表裏両面において四隅角部で長尺側折曲片３２が短尺側折曲片３３の上に折り重ねた状態としたときに、通気口３５の一部が長尺側折曲片３２によって被覆ないし閉塞される位置に形成される。この実施形態において、通気口３５の形状は、図３に示すように、短尺側折曲片３３の長さ方向に略平行である長軸線の一方側に描かれる径をｒ１とする第一の円弧縁３５ａと、該長軸線の他方側に描かれる径をｒ２（＜ｒ１）とする第二の円弧縁３５ｂとからなる変形楕円形状を有し、短尺側折曲縁３１ｂの側に第一の円弧縁３５ａが位置するように形成されている。
【００２１】
本発明者は、通気口３５の形状および位置について様々な実施例を試作して試験を行った。まず、通気口の形状として、下記４つの形状を試験対象とした。なお、通気口３５の長軸の長さｂ＝３０ｍｍ、梱包材３の側面被覆片３１の短尺側折曲縁３１ａから通気口３５までの距離ｃ＝８ｍｍについては試験対象Ａ〜Ｄに共通とした。
Ａ：図３に示す変形楕円形状の通気口３５を、その第一の円弧縁３５ａが短尺側折曲縁３１ｂの側に位置するように形成した。
Ｂ：矩形状の通気口を、その長辺が短尺側折曲縁３１ｂの側に位置するように形成した。
Ｃ：半円形状の通気口を、その直径の直線が短尺側折曲縁３１ｂの側に位置するように形成した。
Ｄ：楕円形状の通気口を、その長軸が短尺側折曲縁３１ｂと平行になるように形成した。
【００２２】
これらの試験対象について、長尺側折曲片３２によって覆われる通気口の面積を０〜１００％の範囲で１０％ずつ変化させて通気口形成位置を異なるものとしてそれぞれ１１種類の梱包体を作製し、高さ１００ｃｍから５回自由落下させて、空気の抜けの状態を目視評価すると共に、通気口の周縁における梱包材３の膨れや捲れ、亀裂などの形状変化の有無を目視評価した。これらの結果を図４に示す。
【００２３】
通気口形状Ａについては、通気口被覆割合が０％（長尺側折曲片３２の折り曲げ先端縁が通気口３５まで達していない場合）および１０％と小さい場合であっても、落下衝突時の空気の圧力によっても梱包材３に破損や膨れなどの外傷が生ずることはなかったが、通気口３５の周縁、特に短尺側折曲縁３１ｂの側に位置する第一の円弧縁３５ａが波打つように若干の膨れを生ずるものがあった。一方、通気口被覆割合が５０％になると、落下衝突時に梱包体１の内部の空気に押されて梱包材３の角部に膨れを起こすものが見られた。この傾向は通気口被覆割合がさらに大きくなると顕著になり、６０〜１００％になると角部が破損してしまうものもあった。これに対し、通気口被覆割合を２０〜４０％とした場合は、落下衝突によっても梱包材３の形状に変化は見られず、通気口３５から良好に空気抜けが行われたことが確認された。また、通気口周縁の形状も良好に維持され、梱包材角部の膨れや破損もなかった。
【００２４】
通気口形状Ｂについては、通気口被覆割合が０％および１０％の場合、落下衝突時の空気の圧力によっても梱包材３に破損や膨れなどの外傷が生ずることはなかったが、通気口の矩形状の角部に亀裂が入り、梱包材３が破れてしまい、短尺側折曲縁３１ｂ側の長辺が捲れ上がってしまった。通気口被覆割合を２０％としたものは、落下衝突によっても梱包材３の形状に変化は見られず、通気口３５からの空気抜けが良好に行われたことが確認された。また、長尺側折曲片３２に覆われずに露出している通気口部分の短尺側折曲縁３１ｂ側の長辺や梱包材３の縁が多少波打つように膨れたものの、梱包が外れるようなことはなかった。一方、通気口被覆割合が５０％以上になると、落下衝突時に梱包体１の内部の空気に押されて梱包材３の角部に膨れや破損を起こすものが見られた。これに対し、通気口被覆割合を３０〜４０％とした場合は、落下衝突によっても梱包材３の形状に変化は見られず、通気口３５からの空気抜けが良好に行われたことが確認された。また、通気口周縁の形状も良好に維持され、梱包材角部の膨れや破損もなかった。
【００２５】
通気口形状Ｃについての結果は実施例２とほぼ同様であった。すなわち、通気口被覆割合が０％および１０％の場合は、落下衝突時の空気の圧力によっても梱包材３に破損や膨れなどの外傷が生ずることはなかったが、半円形状の通気口の直径と円弧とがなす角部に亀裂が入り、短尺側折曲縁３１ｂ側の長辺が捲れ上がってしまうものがあった。通気口被覆割合を２０％としたものは、落下衝突によっても梱包材３の形状に変化は見られず、通気口３５からの空気抜けが良好に行われたことが確認され、また、長尺側折曲片３２に覆われずに露出している通気口の短尺側折曲縁３１ｂ側の直線や円弧との角部に多少の波打ち状の膨れが見られたものの、梱包が外れるようなことはなかった。一方、通気口被覆割合が５０％以上になると、落下衝突時に梱包体１の内部の空気に押されて梱包材３の角部に膨れや破損を起こすものが見られた。これに対し、通気口被覆割合を３０〜４０％とした場合は、落下衝突によっても梱包材３の形状に変化は見られず、通気口３５からの空気抜けが良好に行われたことが確認された。また、通気口周縁の形状も良好に維持され、梱包材角部の膨れや破損もなかった。
【００２６】
通気口形状Ｄについては、通気口が長尺側折曲片３２によって塞がれない位置に形成した場合（被覆割合０％）、空気の抜けが良好に行われ、梱包材３の角部が破れたり膨れたりすることはなかったが、空気が通気口を抜ける際の圧力によって通気口の周縁、特に短尺側折曲縁３１ｂの側に位置する長径楕円弧縁や、長尺側折曲片３２によって塞がれていない内側の短径楕円弧縁において膨れが生じた。通気口被覆割合を１０％とした場合、同様に空気の抜けは良好であり梱包材３に特に形状変化は見られなかったが、空気が通気口を抜ける際の圧力によって短尺側折曲縁３１ｂの側に位置する長径楕円弧縁や長尺側折曲片３２によって塞がれていない内側の短径楕円弧縁に膨れを起こしたものがあった。通気口被覆割合を２０％としたものは、同様に空気の抜けは良好であり梱包材に特に形状変化は見られず、また、短尺側折曲縁３１ｂの側に位置する長径楕円弧縁や長尺側折曲片３２によって塞がれていない内側の短径楕円弧縁に僅かながら波打ち状の膨れが見られたものの、破れや捲れを生ずるには至らず、梱包が外れるようなこともなかった。一方、通気口被覆割合が５０％以上になると、落下衝突時に梱包体１の内部の空気に押されて梱包材３の角部に膨れや破損を起こすものが見られた。これに対し、通気口被覆割合を３０〜４０％とした場合は、落下衝突によっても梱包材３に形状変化は見られず、通気口３５からの空気抜けが良好に行われたことが確認された。また、通気口周縁の形状も良好に維持され、梱包材角部の膨れや破損もなかった。
【００２７】
以上により、通気口３５が長尺側折曲片３２によって被覆される面積割合は、通気口形状にかかわらず、２０〜４０％とすることが好ましく、これによって、梱包体の積載の際に放り投げるようにして積み上げた場合であっても、通気口３５からの空気抜けが良好に行われ、梱包材３の角部における破損や亀裂を防止すると共に、通気口３５の周縁での膨れや捲れを抑制する効果が得られることが実証された。通気口３５の周縁が膨れると、その分だけ梱包がずれて緩んでしまい、最悪の場合には梱包が外れてしまうことがあるが、膨れが抑制されることによってそのような不具合の発生を防止することができる。また、通気口３５の周縁が捲れ上がると、その上に別の梱包体をスライドさせながら積載するときに該周縁の捲れが引っ掛かり、その引っ掛かり部分から梱包材が破けてしまう恐れがあるが、捲れが抑制されることによってそのような不具合の発生を防止することができる。
【００２８】
通気口３５の形状については、本実施形態で採用したＡの形状が特に好ましい。Ｂ，Ｃのように通気口の内周に鋭利な角部を有する形状の場合、通気口から抜け出ようとする空気によって通気口の周縁に圧力がかかったときに、角部付近で膨れや亀裂を生じやすくなる。また、変形楕円形状とした通気口形状Ａと楕円形状とした通気口形状Ｄとを比較すると、通気口被覆割合２０％のときに、Ｄの形状のものは短尺側折曲縁３１ｂ側に位置する周縁に僅かながら波打ち状の膨れが見られたが、Ａの形状のものは短尺側折曲縁３１ｂ側に位置する周縁（第一の円弧縁３５ａ）にも全く膨れや捲れが生じなかった。これは、梱包体内部の空気（被梱包物２の側面と梱包材３の側面被覆片３１との間に存在する空気）は梱包体積載の際に勢い良く上下（厚さ方向）に流動した後に通気口３５から放出されるので、通気口の周縁のうち最も側面被覆片３１に近い部分、すなわち短尺側折曲縁３１ｂ側の周縁部分が空気の抵抗を最も受けやすくなる。通気口形状ＡとＤとを比較すると、Ａの場合は短尺側折曲縁３１ｂ側の周縁部分（第一の円弧縁３５ａ）が反対側の周縁部分（第二の円弧縁３５ｂ）よりも大径であるのに対して、Ｄの場合は短尺側折曲縁３１ｂ側と反対側とが対象的な周縁形状を有する。したがって、長軸長さ（ｂ）を同一にしてこれら形状の通気口を形成した場合、ＤよりもＡの方が短尺側折曲縁３１ｂ側で大きく開口することになる。このことが、積載時の空気の抜けを良好にし、短尺側折曲縁３１ｂ側の通気口周縁の膨れや捲れをより効果的に抑制する上で有意に働いているものと考えられる。
【００２９】
このことをさらに確認するために次の試験を行った。通気口形状として、前記形状ＡおよびＤに加えて、次に示すＥの形状を試験対象とした。前述の試験と同様、通気口形状Ｅについても、通気口３５の長軸の長さ（ｂ）＝３０ｍｍ、梱包材３の側面被覆片３１の短尺側折曲縁３１ａから通気口３５までの距離（ｃ）＝８ｍｍとして、形状Ａ，Ｄと共通とした。また、長尺側折曲片３２の長さ（ａ）の折曲先端領域によって被覆される通気口被覆割合は２０％で共通とした。これら通気口形状Ａ，Ｄ，Ｅの梱包材によって得た梱包体を、前述の試験と同様に、高さ１００ｃｍから５回自由落下させて、通気口の短尺側折曲縁３１ａ側の周縁と反対側の周縁とで、梱包材３の膨れや捲れ、亀裂などの形状変化の有無を目視評価した。この結果を図５に示す。
Ｅ：図３に示すと略同様の変形楕円形状の通気口３５を、形状Ａとは逆向きに、その第二の円弧縁３５ｂが短尺側折曲縁３１ｂの側に位置するように形成した。
【００３０】
通気口形状ＡとＤについての試験結果は前述の通りである。通気口形状Ａの場合は、短尺側折曲縁３１ａ側の周縁（第一の円弧縁３５ａ）にも反対側の周縁（第二の円弧縁３５ｂ）にも落下衝突によっても梱包材３の形状に変化は見られ膨れや捲れなどの形状変化は見られず、通気口形状Ｄの場合は、短尺側折曲縁３１ｂの側に位置する長径楕円弧縁おいて僅かながら波打ち状の膨れが見られたものの、破れや捲れを生ずるには至らず、梱包が外れるようなこともなかった。これに対し、新たに試験対象とした通気口形状Ｅの場合は、両側の周縁で膨れが生じた。この結果により、短尺側折曲縁３１ａ側の周縁（第一の円弧縁３５ａ）が反対側の周縁（第二の円弧縁３５ｂ）より大きな径を持つようにして変形楕円形状の通気口３５を形成することで、通気口３５から勢い良く噴出する空気によっても膨れや捲れを生じさせず、通気口３５の形状を良好に維持することができることが確認された。
【００３１】
なお、図示実施形態では梱包体１の表裏両面において短尺側折曲片３３の長さ方向両端付近に通気口３５が形成され、短尺側折曲片３３の上に折り重ねられる長尺側折曲片３２によって該通気口３５の一部を被覆ないし閉塞するように構成されているが、本発明はこれに限定されない。たとえば、梱包体１の表裏いずれか一方の面において短尺側折曲片３３の長さ方向両端付近に通気口３５が形成され、その一部が該短尺側折曲片３３の上に折り重ねられる長尺側折曲片３２によって被覆ないし閉塞されるものであっても良い。この場合、短尺側折曲片３３に通気口３５が形成されない面においては、長尺側折曲片３２と短尺側折曲片３３との折り重ね状態は限定的ではなく、通気口形成側の面と同様に長尺側折曲片３２が短尺側折曲片３３の上に折り重ねられるものであっても良いし、反対に長尺側折曲片３２の上に短尺側折曲片３３が折り重ねられるものであっても良く、あるいはこれら折曲片の端部をカットして折り重ねが生じないようにしても良い。また、短尺側折曲片３３の長さ方向一端付近に一つの通気口３５が形成され、その一部が長尺側折曲片３２によって被覆ないし閉塞されていても良い。これらの変形態様も本発明の範囲内である。
【符号の説明】
【００３２】
１  梱包体
２  直方体形状の被梱包物（床材積層体）
３  梱包材
３１  側面被覆片
３１ａ  長尺側折曲縁
３１ｂ  短尺側折曲縁
３２  長尺側折曲片
３３  短尺側折曲片
３４  開放部分
３５  通気口
３５ａ  第一の円弧縁
３５ｂ  第二の円弧縁
４  結束バンド
【図１】
0005736147.tif 000002
【図２】
0005736147.tif 000003
【図３】
0005736147.tif 000004
【図４】
0005736147.tif 000005
【図５】
0005736147.tif 000006